(57)【要約】【課題】記録媒体の開閉に合わせて一対の検出装置の位置関係を変更することができる情報入力装置を提供する。【解決手段】検出装置２Ｌは、対となる検出装置に対して近接または離間可能であり、検出装置にセットするノートの開閉に合わせて対の検出装置との位置関係を変更できる。検出装置２Ｌは対の検出装置とハーネス５０を介して接続する。ハーネス５０は検出装置間を架橋する渡り部５２と、渡り部５２に接続し、前後方向に折り返して二段に重なる返し部５３を有する。検出装置２Ｌが対の検出装置に近接または離間すると、ハーネス５０は返し部５３において前方側に位置する部分と後方側に位置する部分とが左右方向において生ずるずれに合わせ、無限軌道ベルトのように折返し部位５３Ａにおける円弧状を維持したまま回動するので、ハーネス５０に折れ曲がり等の負荷がかからない。【選択図】図７
2014211772.tif 000002
【特許請求の範囲】
【請求項１】
一対の表紙と、前記一対の表紙の間に重ねて配置した複数枚の用紙とが、各々の縁部の一部で綴じられた冊子状の記録媒体上で入力される情報を取得可能な情報入力装置であって、
板状をなし、近接する筆記具の位置を検出可能な一対の検出装置のうちの一方の検出装置であり、前記一対の表紙のうちの第一表紙の紙面略全体と向き合う状態に配置可能な第一検出装置と、
前記一対の検出装置のうちの他方の検出装置であり、前記一対の表紙のうちの第二表紙の紙面略全体と向き合う状態に配置可能な第二検出装置と、
前記第一検出装置を固定する固定端部、前記第二検出装置を移動可能に保持する保持端部、および、前記固定端部と前記保持端部とを連結し、前記第一検出装置と前記第二検出装置とが向き合う向きに折曲げ可能な折曲部を有する連結部材であって、前記第一検出装置の検出面の外縁を取り囲む辺のうちの第一辺と、前記第二検出装置の検出面の外縁を取り囲む辺のうちの第二辺とが、辺の延びる方向を揃え、且つ、互いの辺が他の辺よりも近傍に位置するように、前記第一検出装置と前記第二検出装置とを配置した状態で、前記固定端部が前記第一検出装置を固定し、且つ、前記第二辺が前記第一辺に対して近接および離間する方向に移動可能な状態で、前記保持端部が前記第二検出装置を保持する連結部材と、
を備えたことを特徴とする情報入力装置。
【請求項２】
可撓性を有する絶縁フィルム上に複数の導電路が形成され、前記第一検出装置が有する第一回路部と前記第二検出装置が有する第二回路部とを電気的に接続する接続線であって、
前記第一検出装置の検出面とは反対側の第一裏面と前記連結部材の前記固定端部との間に配置され、前記第一回路部との電気的な接続を担う端子部を備える第一接続部と、
前記第一接続部に接続し、前記第一検出装置と前記第二検出装置との間で延びる渡り部と、
前記第二検出装置の検出面とは反対側の第二裏面と前記連結部材の前記保持端部との間に配置され、前記渡り部に接続する返し部であって、前記渡り部の延びる方向と直交し、且つ前記第二検出装置と前記保持端部とが向き合う方向と直交する方向を軸に折り返されて、前記第二検出装置と前記保持端部との間で二段に重なる返し部と、
前記返し部に接続し、前記第二回路部との電気的な接続を担う端子部を備える第二接続部と、
を有する接続線をさらに備えたことを特徴とする請求項１に記載の情報入力装置。
【請求項３】
前記連結部材の前記保持端部に固定され、前記接続線の前記返し部を覆い、前記第二裏面との間に前記返し部を配置する覆い部材をさらに備え、
前記第二検出装置は、前記第二裏面に、前記第二裏面に沿って前記第二辺の延びる方向と直交する方向である出退方向に前記覆い部材を移動可能に支持する支持部を有することを特徴とする請求項２に記載の情報入力装置。
【請求項４】
前記覆い部材は、前記覆い部材を前記連結部材の前記保持端部に固定するため、前記出退方向に沿って並んで配置される２つの第一係合部を有し、
前記連結部材は、前記保持端部に、前記２つの第一係合部がそれぞれ係合する２つの第二係合部を有し、
前記２つの第一係合部のうちの一方の第一係合部と、前記２つの第二係合部のうちの一方の第二係合部は、互いに係合する突部と孔部の関係を有し、
前記２つの第一係合部のうちの他方の第一係合部と、前記２つの第二係合部のうちの他方の第二係合部は、互いに係合する突部と孔部の関係を有し、
前記連結部材は、前記一方の第二係合部に前記一方の第一係合部を係合させて前記覆い部材を固定し、
前記他方の第一係合部と前記他方の第二係合部との係合における間隙の大きさは、前記一方の第一係合部と前記一方の第二係合部との係合における間隙の大きさよりも大きいことを特徴とする請求項３に記載の情報入力装置。
【請求項５】
前記覆い部材は、前記２つの突部が形成された天壁と、前記天壁の縁部から立ち上がり、一方が開放し三方が閉鎖する３つの側壁と、前記３つの側壁のうちの向き合う２つの側壁に形成され、前記第二検出装置の前記支持部と係合する第三係合部とを有し、
前記覆い部材は、前記第三係合部を介し、前記第二検出装置の前記支持部に、前記出退方向に移動可能に支持されることを特徴とする請求項４に記載の情報入力装置。
【請求項６】
前記天壁の前記第二裏面側の壁面に、前記接続線の前記返し部で二段に重なる部位のうち、前記天壁側に位置する部位を固定する第一固定部材と、
前記第二裏面に、前記接続線の前記返し部で二段に重なる部位のうち、前記第二裏面側に位置する部位を固定する第二固定部材と、
をさらに備え、
前記第一固定部材と前記第二固定部材とは、前記返し部において、前記接続線の延びる方向が変化する部位を構成し、前記覆い部材の前記出退方向への移動に伴い変形を生ずる部位である折返し部位の両端の端部にそれぞれ設けられていることを特徴とする請求項５に記載の情報入力装置。
【請求項７】
前記２つの側壁が向き合う方向と直交し、且つ、前記天壁と前記第二裏面とが向き合う方向と直交する方向において、
前記側壁が開放する側とは反対側における前記天壁と前記第二裏面と間の長さは、前記側壁が開放する側における前記天壁と前記第二裏面との間の長さよりも大きいことを特徴とする請求項５または６に記載の情報入力装置。
【請求項８】
前記接続線の前記渡り部は、前記第一検出装置および前記第二検出装置の前記第一辺および前記第二辺のそれぞれの辺が延びる方向において、中央寄りの位置に配置されていることを特徴とする請求項２から７のいずれかに記載の情報入力装置。
【請求項９】
前記連結部材は、前記接続線の前記渡り部を前記連結部との間に挟み、前記渡り部を隠蔽する隠蔽部材を備えることを特徴とする請求項２から８のいずれかに記載の情報入力装置。
【請求項１０】
前記隠蔽部材は、前記保持端部側の縁部が、前記第二検出装置と前記保持端部との間に位置することを特徴とする請求項９に記載の情報入力装置。
【発明の詳細な説明】
【技術分野】
【０００１】
本発明は、複数枚の用紙が綴じられた冊子状の記録媒体上で入力される情報を取得可能な情報入力装置に関する。
【背景技術】
【０００２】
従来、複数枚の用紙が綴じられた冊子状の紙媒体に記入される情報を、電子化して保管および管理する技術が知られている（例えば、特許文献１参照）。特許文献１が開示する情報管理システムでは、人が手帳をデジタイザのパッド上に載せ、専用ペンで手書きのコンテンツを手帳に記載する。手書きのコンテンツは、デジタイザによって画像データとして読み込まれ、ＰＣのメモリに記憶される。
【０００３】
特許文献１に記載のデジタイザは、卓上に配置し、手帳を見開きでデジタイザのパッド上に載せて使用する形態で用いられるため、デジタイザと手帳を持ち運んで使用することは困難である。デジタイザに手帳をセットした状態で持ち運ぶ場合、中折りして畳むことが可能な一対のデジタイザを用い、手帳の一対の表紙を各デジタイザにセットして、デジタイザごと手帳を開閉することが考えられる。
【先行技術文献】
【特許文献】
【０００４】
【特許文献１】特開２００２−１３２９４３号公報
【発明の概要】
【発明が解決しようとする課題】
【０００５】
しかしながら、手帳の開閉において内周側に位置する一対の表紙同士の位置関係と、外周側に位置する一対のデジタイザ同士の位置関係は、手帳を開いたときと閉じたときとで異なるため、手帳の表紙をデジタイザに固定した状態で手帳を開閉すると、手帳の表紙が折れたり曲がったりする可能性があった。
【０００６】
本発明は、上記の問題点を解決するためになされたものであり、記録媒体の開閉に合わせて一対の検出装置の位置関係を変更することができる情報入力装置を提供することを目的とする。
【課題を解決するための手段】
【０００７】
本発明の第１態様によれば、一対の表紙と、前記一対の表紙の間に重ねて配置した複数枚の用紙とが、各々の縁部の一部で綴じられた冊子状の記録媒体上で入力される情報を取得可能な情報入力装置であって、板状をなし、近接する筆記具の位置を検出可能な一対の検出装置のうちの一方の検出装置であり、前記一対の表紙のうちの第一表紙の紙面略全体と向き合う状態に配置可能な第一検出装置と、前記一対の検出装置のうちの他方の検出装置であり、前記一対の表紙のうちの第二表紙の紙面略全体と向き合う状態に配置可能な第二検出装置と、前記第一検出装置を固定する固定端部、前記第二検出装置を移動可能に保持する保持端部、および、前記固定端部と前記保持端部とを連結し、前記第一検出装置と前記第二検出装置とが向き合う向きに折曲げ可能な折曲部を有する連結部材であって、前記第一検出装置の検出面の外縁を取り囲む辺のうちの第一辺と、前記第二検出装置の検出面の外縁を取り囲む辺のうちの第二辺とが、辺の延びる方向を揃え、且つ、互いの辺が他の辺よりも近傍に位置するように、前記第一検出装置と前記第二検出装置とを配置した状態で、前記固定端部が前記第一検出装置を固定し、且つ、前記第二辺が前記第一辺に対して近接および離間する方向に移動可能な状態で、前記保持端部が前記第二検出装置を保持する連結部材と、を備えた情報入力装置が提供される。
【０００８】
情報入力装置は、第一検出装置に対し、第二検出装置を近接または離間することができる。記録媒体の第一表紙に向き合わせて第一検出装置を配置し、第二表紙に向き合わせて第二検出装置を配置した場合に、記録媒体の開閉に合わせて第一検出装置と第二検出装置との位置関係を変更できるので、記録媒体の第一表紙や第二表紙に負荷がかからず、折れたり曲がったりすることを防止できる。
【０００９】
第１態様は、可撓性を有する絶縁フィルム上に複数の導電路が形成され、前記第一検出装置が有する第一回路部と前記第二検出装置が有する第二回路部とを電気的に接続する接続線であって、前記第一検出装置の検出面とは反対側の第一裏面と前記連結部材の前記固定端部との間に配置され、前記第一回路部との電気的な接続を担う端子部を備える第一接続部と、前記第一接続部に接続し、前記第一検出装置と前記第二検出装置との間で延びる渡り部と、前記第二検出装置の検出面とは反対側の第二裏面と前記連結部材の前記保持端部との間に配置され、前記渡り部に接続する返し部であって、前記渡り部の延びる方向と直交し、且つ前記第二検出装置と前記保持端部とが向き合う方向と直交する方向を軸に折り返されて、前記第二検出装置と前記保持端部との間で二段に重なる返し部と、前記返し部に接続し、前記第二回路部との電気的な接続を担う端子部を備える第二接続部と、を有する接続線をさらに備えてもよい。接続線が返し部で折り返す構成を有することによって、第一検出装置に対し、第二検出装置を近接または離間させる場合に、接続線が折り返した状態を維持したまま行えば、接続線が引き伸ばされたり押し縮められたりすることがなく、接続線にかかる負荷を軽減することができる。
【００１０】
第１態様は、前記連結部材の前記保持端部に固定され、前記接続線の前記返し部を覆い、前記第二裏面との間に前記返し部を配置する覆い部材をさらに備えてもよい。この場合に、前記第二検出装置は、前記第二裏面に、前記第二裏面に沿って前記第二辺の延びる方向と直交する方向である出退方向に前記覆い部材を移動可能に支持する支持部を有してもよい。接続線の返し部を覆い部材で覆うことで、第一検出装置に対し、第二検出装置を近接または離間させる場合に、接続線の返し部に押圧あるいは引っ張りの力が加わった場合に生じ得る接続線のぶれを規制することができるので、接続線が折り返した状態を確実に維持することができる。そして、覆い部材が支持部によって出退方向に移動可能に支持されることによって、接続線の返し部に対する押圧あるいは引っ張りに合わせて覆い部材が移動することができるので、接続線の返し部が押圧によって覆い部材内で圧縮されたり、引っ張りによって覆い部材から外れてしまったりすることがない。
【００１１】
第１態様において、前記覆い部材は、前記覆い部材を前記連結部材の前記保持端部に固定するため、前記出退方向に沿って並んで配置される２つの第一係合部を有してもよい。前記連結部材は、前記保持端部に、前記２つの第一係合部がそれぞれ係合する２つの第二係合部を有してもよい。前記２つの第一係合部のうちの一方の第一係合部と、前記２つの第二係合部のうちの一方の第二係合部は、互いに係合する突部と孔部の関係を有してもよい。前記２つの第一係合部のうちの他方の第一係合部と、前記２つの第二係合部のうちの他方の第二係合部は、互いに係合する突部と孔部の関係を有してもよい。前記連結部材は、前記一方の第二係合部に前記一方の第一係合部を係合させて前記覆い部材を固定し、前記他方の第一係合部と前記他方の第二係合部との係合における間隙の大きさは、前記一方の第一係合部と前記一方の第二係合部との係合における間隙の大きさよりも大きくてもよい。覆い部材は、一方の第一係合部または一方の第二係合部を軸に、他方の第一係合部と他方の第二係合部と間隙の範囲内で、回動することができる。よって、第一検出装置に対して第二検出装置が一方の第一係合部または一方の第二係合部を軸に回動することができるので、記録媒体の開閉において第一表紙と第二表紙との位置関係に、出退方向とは異なる向きの捻りが生じても、第一検出装置に対する第二検出装置の向きを回動によって調整することができる。ゆえに、記録媒体は、第一表紙および第二表紙に負荷がかかりにくく、折れたり曲がったりすることを防止できる。
【００１２】
第１態様において、前記覆い部材は、前記２つの突部が形成された天壁と、前記天壁の縁部から立ち上がり、一方が開放し三方が閉鎖する３つの側壁と、前記３つの側壁のうちの向き合う２つの側壁に形成され、前記第二検出装置の前記支持部と係合する第三係合部とを有してもよい。この場合に、前記覆い部材は、前記第三係合部を介し、前記第二検出装置の前記支持部に、前記出退方向に移動可能に支持されてもよい。覆い部材は、向き合う２つの側壁に対して直交するもう１つの側壁を有するため、もう１つの側壁が向き合う２つの側壁をそれぞれ支持するリブとして機能することができるので、強度を確保することができる。
【００１３】
第１態様は、前記天壁の前記第二裏面側の壁面に、前記接続線の前記返し部で二段に重なる部位のうち、前記天壁側に位置する部位を固定する第一固定部材と、前記第二裏面に、前記接続線の前記返し部で二段に重なる部位のうち、前記第二裏面側に位置する部位を固定する第二固定部材と、をさらに備えてもよい。この場合に、前記第一固定部材と前記第二固定部材とは、前記返し部において、前記接続線の延びる方向が変化する部位を構成し、前記覆い部材の前記出退方向への移動に伴い変形を生ずる部位である折返し部位の両端の端部にそれぞれ設けられていてもよい。第一検出装置に対する第二検出装置の近接および離間の際に接続線に押圧あるいは引っ張り等の外力が加わっても、第一固定部材および第二固定部材が折返し部位の両端を押さえるので、折返し部位における接続線の変形にぶれを生じにくい。ゆえに、覆い部材の出退方向への移動に伴う接続線の変形を、安定して、スムーズに行うことができる。
【００１４】
第１態様において、前記２つの側壁が向き合う方向と直交し、且つ、前記天壁と前記第二裏面とが向き合う方向と直交する方向において、前記側壁が開放する側とは反対側における前記天壁と前記第二裏面と間の長さは、前記側壁が開放する側における前記天壁と前記第二裏面との間の長さよりも大きくてもよい。側壁が開放する側とは反対側は、覆い部材の内部空間の大きさがより大きく、接続線の返し部を配置することで、折返し部分が形成する円弧の内接円の半径をより大きくできるので、接続線にかかる折れ曲がり等の負荷を軽減することができる。
【００１５】
第１態様において、前記接続線の前記渡り部は、前記第一検出装置および前記第二検出装置の前記第一辺および前記第二辺のそれぞれの辺が延びる方向において、中央寄りの位置に配置されてもよい。連結部材の開閉時など、固定端部と保持端部とが第一検出装置と第二検出装置とが向き合う向きに折曲部を折り曲げる際に捻りが加わった場合、捻りによる引っ張り等の影響を受けやすい端部ではなく中央寄りに渡り部が位置することで、接続線に負荷をかけにくくすることができる。
【００１６】
第１態様において、前記連結部材は、前記接続線の前記渡り部を前記連結部との間に挟み、前記渡り部を隠蔽する隠蔽部材を備えてもよい。連結部材を開いた状態で、隠蔽部材は接続線を隠蔽することができる。また、連結部材を折り畳むとき、隠蔽部材は接続線が折曲部の内向き面に沿って曲がるように接続線を押さえ、曲げの向きを案内することができる。
【００１７】
第１態様において、前記隠蔽部材は、前記保持端部側の縁部が、前記第二検出装置と前記保持端部との間に位置してもよい。第二検出装置が第一検出装置に対して離間状態においても近接状態においても常に隠蔽部材にかかる位置にあれば、第二検出装置が隠蔽部材の縁部に引っかかって離間状態と近接状態との間の移動に抵抗を生ずることを防ぐことができる。
【図面の簡単な説明】
【００１８】
【図１】情報入力装置１の全体構成図である。
【図２】情報入力装置１にノート５を装着し、開いた状態で、前方、右方および下方からみた斜視図である。
【図３】外装カバー４を開いた状態で前方から見た図である。
【図４】検出装置２Ｌ，２Ｒを前方、右方および下方から見た状態で構成部品を展開した斜視図である。
【図５】後カバー９Ｌに組み付けた状態のホルダ６０およびハーネス５０を前方、右方および下方から見た斜視図である。
【図６】後カバー９Ｌに組み付けた状態のホルダ６０およびハーネス５０を後方、左方および下方から見た斜視図である。
【図７】検出装置２Ｌ，２Ｒが近接状態にある場合におけるホルダ６０とハーネス５０の状態を示す、図６の一点鎖線Ｉ−Ｉにおいて矢視方向から見た断面図である。
【図８】検出装置２Ｌ，２Ｒが離間状態にある場合におけるホルダ６０とハーネス５０の状態を示す、図６の一点鎖線Ｉ−Ｉにおいて矢視方向から見た断面図である。
【発明を実施するための形態】
【００１９】
以下、本発明の実施形態について、図面を参照して説明する。参照する図面は、本発明が採用し得る技術的特徴を説明するために用いられるものである。図面に記載されている装置の構成等は、それのみに限定する趣旨ではなく、単なる説明例である。
【００２０】
図１〜図３を参照し、本実施形態に係る情報入力装置１について説明する。以下の説明では、図２の上側、下側、左上側、右下側、右上側、左下側を、それぞれ、情報入力装置１の前側、後側、左側、右側、上側、下側と定義する。情報入力装置１を構成する外装カバー４、検出装置２Ｌ，２Ｒ、および情報入力装置１に装着するノート５の方向の定義についても、便宜上、情報入力装置１を組み立てた状態あるいは装着した状態を基準に、情報入力装置１に倣うものとする。なお、図１に示す情報入力装置１は、情報入力装置１が開閉される途中の状態を示す。図２に示す情報入力装置１は、情報入力装置１が開かれた状態を示す。
【００２１】
図１に示す、情報入力装置１は、ユーザが携行可能なタブレット型の手書き入力装置である。情報入力装置１は、図１の紙面手前側を見開き面側として左右方向に折り畳み（つまり、二つ折り）可能な外装カバー４に、２つの板状の検出装置２Ｌ，２Ｒを組み付けた状態で提供される。情報入力装置１は、外装カバー４を見開いた状態の左側ページ４Ｌに検出装置２Ｌを配置し、右側ページ４Ｒに検出装置２Ｒを配置して構成する。情報入力装置１は、検出装置２Ｌ，２Ｒに冊子状の記録媒体、例えばノート５を装着し、ユーザが電子ペン６でノート５に記入した情報を読み取ることが可能である。電子ペン６は、ノート５にインクで情報（文字、記号、図形、数字等）を記入でき、且つ、記入される情報を検出装置２Ｌ，２Ｒに入力可能な筆記具である。電子ペン６は、内部に、周知の共振（同調）回路を構成する可変容量コンデンサ、コイル等（図示略）を備える。検出装置２Ｌ，２Ｒは、公知の電磁誘導方式で、電子ペン６が近接する位置を検出することが可能である。
【００２２】
図１、図２に示すように、ノート５は、検出装置２Ｌ，２Ｒの前面に固定される。検出装置２Ｌ，２Ｒは、前面に、ノート５の左右の表紙５Ｌ，５Ｒを固定する際の位置決めを担う窪み状の位置決め部２１Ｌ，２１Ｒをそれぞれ有する。より詳細に、検出装置２Ｌの位置決め部２１Ｌは、上方、左方および下方に段差を有し、右方には段差を設けていない。ノート５は、左表紙５Ｌの上方、左方および下方の縁部をそれぞれ段差に突き当てて位置決めする。さらに、位置決め部２１Ｌは、窪み内で右辺寄りの位置に微粘着性の接着部２２Ｌ（図１参照）を有する。接着部２２Ｌはノート５の左表紙５Ｌを容易に剥離可能な状態で接着し、位置決め部２１Ｌに固定する。また、検出装置２Ｒの位置決め部２１Ｒは、上方、右方および下方に段差を有し、左方には段差を設けていない。ノート５は、右表紙５Ｒの上方、右方および下方の縁部をそれぞれ段差に突き当てて位置決めする。上記同様、位置決め部２１Ｒは、窪み内で左辺寄りの位置に微粘着性の接着部２２Ｒ（図１参照）を有する。接着部２２Ｒはノート５の右表紙５Ｒを容易に剥離可能な状態で接着し、位置決め部２１Ｒに固定する。
【００２３】
図３に示す、外装カバー４は、折り曲げられていない状態で左右方向に長い矩形状の板状体である。外装カバー４は、検出装置２Ｌを保持する左側ページ４Ｌと、検出装置２Ｒを固定する右側ページ４Ｒと、左側ページ４Ｌと右側ページ４Ｒとを左右中央で連結する折曲部４Ｃとを有する。外装カバー４は、例えば合成皮革またはナイロン（登録商標）素材によって作製され、外力に応じて変形可能な柔軟性を有する。折曲部４Ｃは、軸線ＡＸ（図１参照）を取り巻くように、前面側を内面にして折り曲げることができる。すなわち、外装カバー４は、折曲部４Ｃを折り曲げることで、検出装置２Ｌと検出装置２Ｒとが向き合う向きに折り畳むことができる。
【００２４】
外装カバー４は右側ページ４Ｒに、検出装置２Ｒを固定するための固定シート４１Ｒを有する。固定シート４１Ｒは、上辺、右辺および下辺の三辺が外装カバー４の縁部４５に織り込まれ、左辺が折曲部４Ｃに織り込まれて外装カバー４に固定される。検出装置２Ｒは、例えば両面粘着テープ等により、背面２６Ｒ（図４参照）（後方側の面）を固定シート４１Ｒに接着し、外装カバー４に固定する。固定シート４１Ｒは中央部に開口４２を有し、開口４２内に、検出装置２Ｒの背面２６Ｒに設けられるバッテリの装着部（図示略）が配置される。図示しないが、外装カバー４は背面に、面ファスナーを用いて開閉可能なカバー体（図示略）を備える。ユーザは、カバー体を開くことで、検出装置２Ｒを外装カバー４から取り外さずともバッテリ（図示略）交換が可能である。
【００２５】
外装カバー４は左側ページ４Ｌに、検出装置２Ｌを保持する保持シート４１Ｌを有する。保持シート４１Ｌは、例えば透明の軟質塩化ビニールシートである。保持シート４１Ｌは、上辺、左辺および下辺の三辺が外装カバー４の縁部４５に織り込まれ、右辺は開放されている。検出装置２Ｌは、保持シート４１Ｌの右辺側から保持シート４１Ｌと外装カバー４の本体部との間に挿入され、右端側が保持シート４１Ｌの右辺から右方に突出した状態で、保持シート４１Ｌに保持される。詳細は後述するが、検出装置２Ｌは背面２６Ｌ（図４参照）側に検出装置２Ｌの本体部に対して左右方向にスライド移動可能なホルダ６０を備える。外装カバー４は、ホルダ６０を固定する固定部４３を外装カバー４の本体部に備える。本実施形態において、固定部４３は、左右方向に並んで配置した２つのハトメ部４３Ａ，４３Ｂによって形成される。ハトメ部４３Ａ，４３Ｂは、開口径Ｄ１が同じ大きさに形成されている。固定部４３にホルダ６０を固定することで、検出装置２Ｌは、外装カバー４の左側ページ４Ｌに対して左右方向にスライド可能な状態で、保持シート４１Ｌに保持される。
【００２６】
外装カバー４は、折曲部４Ｃの内向き面側（図２の前面側）に、上下方向に延び、折曲部４Ｃを覆う太幅の帯状体４４を備える。帯状体４４は、上下に張られた状態で両端が外装カバー４の縁部４５にそれぞれ織り込まれており、折曲部４Ｃの内向き面との間に間隙を有することができる。後述するが、検出装置２Ｌ，２Ｒを接続するハーネス５０は、帯状体４４と折曲部４Ｃの内向き面との間に通される。外装カバー４を開いた状態で、帯状体４４はハーネス５０を隠蔽する。また、外装カバー４を折り畳むとき、帯状体４４は、ハーネス５０が折曲部４Ｃの内向き面に沿って軸線ＡＸ（図１参照）を取り巻いて曲がるようにハーネス５０を内面側から押さえ、曲げの向きを案内する。なお、図示しないが、外装カバー４は、バッテリのカバー体を閉じた状態に支え、栞等の用途にも使用可能なバンド、電子ペン６のホルダ、資料等を収納可能なポケット等を備える。
【００２７】
次に、図４〜図８を参照し、検出装置２Ｌ，２Ｒの構造について説明する。検出装置２Ｌ，２Ｒは、前述したように、公知の電磁誘導方式で、電子ペン６が近接する位置を検出することが可能な装置である。検出装置２Ｌ，２Ｒは、正面視で上下方向に長い矩形状であり、且つ前後方向の厚みが小さい箱状体である。
【００２８】
図４に示すように、検出装置２Ｒは、前カバー８Ｒおよび後カバー９Ｒを備える。前カバー８Ｒおよび後カバー９Ｒは、上下方向に長い略矩形状の樹脂板である。前述した検出装置２Ｒの位置決め部２１Ｒは、前カバー８Ｒの前面に設けられている。後述するデジタイザ基板７Ｒによる電子ペン６の近接位置の検出は、前カバー８Ｒの前面側にて行われる。前カバー８Ｒの前面を、便宜上、検出装置２Ｒの検出面とよぶ。前カバー８Ｒおよび後カバー９Ｒを組み合わせると、内部に収容スペースを有する箱状体が形成される。
【００２９】
検出装置２Ｒは、内部に、電子ペン６の近接位置を検出するためのデジタイザ基板７Ｒと、デジタイザ基板７Ｒに流す電流を制御する制御基板７１Ｒと、情報入力装置１の制御を司るＣＰＵ（図示略）を搭載したメイン基板１０とを収容する。メイン基板１０は、電源スイッチ、発光素子、通信部など、各種スイッチ、コネクタ等の部品（図示略）を備え、検出装置２Ｒの上端部右寄り部分に設けられる収容部７９に収容する。メイン基板１０のＣＰＵは、近傍に位置するＰＣ等の外部装置（図示略）と無線や有線による通信が可能である。メイン基板１０は制御基板７１Ｒと電気的に接続する。制御基板７１Ｒは、デジタイザ基板７Ｒの後方側の面で下端寄りの位置に、デジタイザ基板７Ｒと一体に設けられている。
【００３０】
デジタイザ基板７Ｒは、Ｘ軸方向（具体的には左右方向）およびＹ軸方向（具体的には上下方向）の各々に細長いループコイルが多数配列された基板である。制御基板７１Ｒはループコイルの一本ずつに特定周波数の電流（励磁用送信電流）を流して磁界を発生させ、デジタイザ基板７Ｒに近接する電子ペン６の共振回路が生ずる誘導磁界によってループコイルに流れる電流（信号電流）を検出する。メイン基板１０のＣＰＵは、制御基板７１Ｒが検出した信号電流に基づき電子ペン６の位置座標を経時的に求め、電子ペン６の軌跡を示すストロークデータを生成し、情報入力装置１に接続する外部装置（ＰＣ等）に対して出力する。
【００３１】
次に、検出装置２Ｌは、検出装置２Ｒと同様に、前カバー８Ｌおよび後カバー９Ｌを備える。前カバー８Ｌおよび後カバー９Ｌは、上下方向に長い略矩形状の樹脂板である。前述した検出装置２Ｌの位置決め部２１Ｌは、前カバー８Ｌの前面に設けられている。後述するデジタイザ基板７Ｌによる電子ペン６の近接位置の検出は、前カバー８Ｌの前面側にて行われる。前カバー８Ｌの前面を、便宜上、検出装置２Ｌの検出面とよぶ。図示しないが、前カバー８Ｌは、上下両側の端部が、左角部分を除き、それぞれ後面側に折り返した状態に形成されている。後カバー９Ｌは、上下両側の端部が、左角部分を残し、それぞれ欠けた状態に形成されており、検出装置２Ｌの組み立て時に、前カバー８Ｌの上記折返し部分に係合する。前カバー８Ｌおよび後カバー９Ｌを組み合わせると、内部に収容スペースを有する箱状体が形成される。
【００３２】
検出装置２Ｌは、内部に、電子ペン６の近接位置を検出するためのデジタイザ基板７Ｌと、デジタイザ基板７Ｌに流す電流を制御する制御基板７１Ｌとを収容する。制御基板７１Ｌは、デジタイザ基板７Ｌの後方側の面で下端寄りの位置に、デジタイザ基板７Ｌと一体に設けられている。デジタイザ基板７Ｌおよび制御基板７１Ｌは、検出装置２Ｒのデジタイザ基板７Ｒおよび制御基板７１Ｒと同様の構成であり、公知の電磁誘導方式による電子ペン６の近接位置を検知することができる。デジタイザ基板７Ｌの左方側の縁部、上方右側の角部および下方右側の角部には、静電気等からデジタイザ基板７Ｌを保護する絶縁部材７２が設けられている。
【００３３】
検出装置２Ｒの制御基板７１Ｒと、検出装置２Ｌの制御基板７１Ｌとは、ハーネス５０によって接続される。ハーネス５０は、制御基板７１Ｒと制御基板７１Ｌとを電気的に接続するためのパターンが形成されたフレキシブル基板である。ハーネス５０は、一端側の端子部５１Ａが検出装置２Ｒの制御基板７１Ｒに接続し、検出装置２Ｌ側に延びた後、前後方向に二段に重なって折返した状態に配線されて、他端側の端子部５４Ａが検出装置２Ｌの制御基板７１Ｌに接続する。ハーネス５０の折返し部分にはホルダ６０が設けられ、ハーネス５０を保護する。ハーネス５０およびホルダ６０の詳細については後述する。
【００３４】
上記したように、検出装置２Ｌは外装カバー４の左側ページ４Ｌ（図１参照）に左右方向にスライド可能に保持され、検出装置２Ｒは外装カバー４の右側ページ４Ｒ（図１参照）に固定される。すなわち、検出装置２Ｌは、外装カバー４を開いた状態において、検出装置２Ｒに対して近接および離間する方向に移動可能な状態で、外装カバー４に保持される。言い換えると、検出装置２Ｌおよび検出装置２Ｒは、検出装置２Ｌの対向辺２５Ｌと、検出装置２Ｒの対向辺２５Ｒとが延びる方向を揃え、且つ、対向辺２５Ｒに対し対向辺２５Ｌが近接および離間する方向に移動可能な状態で、外装カバー４に保持および固定される。対向辺２５Ｌは、検出装置２Ｌの検出面（前面）の外縁を取り囲む辺のうち、検出装置２Ｒ側に位置する辺である。対向辺２５Ｒは、検出装置２Ｒの検出面（前面）の外縁を取り囲む辺のうち、検出装置２Ｌ側に位置する辺である。図３に示すように、対向辺２５Ｌが対向辺２５Ｒに対して近づき、検出装置２Ｌが検出装置２Ｒに対して近接する位置（図中二点鎖線で示す。）にある場合を、便宜上、近接状態とよぶ。また、対向辺２５Ｌが対向辺２５Ｒから遠のき、検出装置２Ｌが検出装置２Ｒに対して離間する位置（図中一点鎖線で示す。）にある場合を、便宜上、離間状態とよぶ。
【００３５】
情報入力装置１は、検出装置２Ｒに対して検出装置２Ｌを近接および離間可能な構成とするため、制御基板７１Ｒと制御基板７１Ｌとを接続するハーネス５０およびホルダ６０を、以下のように構成する。図４に示すように、後カバー９Ｌは、上下方向の中央よりも下方側で、左右方向の中央よりも右方側の位置に、前後方向に貫通する開口部９１を備える。図５〜図７に示すように、開口部９１は左右方向に長い略矩形状に開口する。後カバー９Ｌの前面側において、開口部９１の周囲は窪み状に形成され（図５参照）、上方側と下方側の縁部に、左右方向に延びる一対の突起部９２，９３が形成されている。突起部９２，９３は、後述するホルダ６０の鍔部６５，６６に係合し、ホルダ６０を左右方向（検出装置２Ｌの対向辺２５Ｌと直交する方向）にスライド移動可能に支持する。
【００３６】
ホルダ６０は、左右方向に接続し、厚みの異なる天壁６１Ａ，６１Ｂと、天壁６１Ａ，６１Ｂの縁部から前方へ向けて立ち上がり、左方側が開放する３つの側壁６２，６３，６４を有する。天壁６１Ａ，６１Ｂは、左右方向に長い矩形状を有し、左方側に配置される天壁６１Ｂの厚みは右方側に配置される天壁６１Ａの厚みよりも厚い。検出装置２Ｌを組み立てた状態において、ホルダ６０は前方側の面がデジタイザ基板７Ｌの後方側の面に向き合って配置される。図７に示すように、天壁６１Ａとデジタイザ基板７Ｌとの間の長さＤ４は、天壁６１Ｂとデジタイザ基板７Ｌとの間の長さＤ５よりも大きい。すなわち、ホルダ６０は、左右方向において、側壁が開放する側（すなわち天壁６１Ｂ側）よりも、側壁６２が形成された側（すなわち天壁６１Ａ側）において、内部空間の大きさが前後方向に大きく形成されている。
【００３７】
図５〜図７に示すように、天壁６１Ａ，６１Ｂの前面側で、天壁６１Ａと天壁６１Ｂとを接続する部分は斜面に形成されている（図７参照）。天壁６１Ａ，６１Ｂは、上下方向における長さが開口部９１の上下方向における開口幅より若干小さく形成され、左右方向における長さは開口部９１の左右方向における開口幅より小さく形成されている。側壁６２，６３，６４は、前後方向の長さが前カバー８Ｌの厚みと略同じである。ホルダ６０を開口部９１内に配置したとき、天壁６１Ａ，６１Ｂの後方側の面は前カバー８Ｌの後方側の面と略同じ水準位置に配置される。また、ホルダ６０は、開口部９１の縁部によって、上下方向への移動が規制され、左右方向へは天壁６１Ａ，６１Ｂの長さと開口幅との違いの大きさ分、移動可能である。
【００３８】
ホルダ６０は、互いに向き合う２つの側壁である側壁６３の後方側の端部と側壁６４の前方側の端部から、それぞれ上方および下方へ向けて鍔状に突出する鍔部６５，６６を有する。上下方向において、鍔部６５の突出先端から鍔部６６の突出先端までの長さは、開口部９１の周囲に形成された窪みの長さと略同じである。ホルダ６０を開口部９１に配置したとき、鍔部６５の後端側の面は、開口部９１周囲の窪みにおいて上方側に設けられた突起部９２に当接し、鍔部６６の後端側の面は、開口部９１周囲の窪みの下方側に設けられた突起部９３に当接する。また、鍔部６５，６６の前方側の面には、それぞれ２カ所ずつ、前方へ向けて球面状に突起する突起部６５Ａ，６６Ａが設けられている。検出装置２Ｌを組み立てた状態において、ホルダ６０は前方側の面がデジタイザ基板７Ｌの後方側の面に向き合って配置される。突起部６５Ａ，６６Ａはデジタイザ基板７Ｌに当接し、デジタイザ基板７Ｌの後方側の面と鍔部６５，６６の前方側の面との間に間隙を設け、レール状の突起部９２，９３に沿ったホルダ６０のスライド移動をスムーズに行わせる。すなわちホルダ６０は、開口部９１の左右方向における両側の縁部にそれぞれ天壁６１Ａ，６１Ｂの左右方向における両側の縁部が当接する範囲内で、左右方向にスライド移動することができる。
【００３９】
天壁６１Ａ，６１Ｂの後方側の面には、後方へ向けて円筒状に突起する２つの突部６７，６８が設けられている。突部６７は天壁６１Ａの左方側の端部に設けられ、突部６８は、天壁６１Ｂの右方側の端部に設けられる。突部６８は、突出先端に、径方向外向きに突起する２つの突起部６８Ａを有する。情報入力装置１を組み立てた場合において、突部６７は、外装カバー４の固定部４３に設けられたハトメ部４３Ａ（図３参照）に係合し、突部６８は、ハトメ部４３Ｂに係合する。突部６８は、外径Ｄ３が突部６７よりも大きく形成され、ハトメ部４３Ｂの開口径Ｄ１と略同じ大きさである。突起部６８Ａは、ハトメ部４３Ｂに突部６８を係合した場合の抜け止めとして機能する。また、外径Ｄ２が突部６８の外径Ｄ３より小さい突部６７は、ハトメ部４３Ａの開口径Ｄ１よりも小さく、ハトメ部４３Ａに係合した状態で位置移動することができる。すなわちホルダ６０は、固定部４３に固定した状態で、突部６８を支点に、突部６７がハトメ部４３Ａ内で移動できる範囲内で、回動することができる。この構成によって、検出装置２Ｒに対して検出装置２Ｌが突部６７を軸に回動することができるので、例えば検出装置２Ｌ，２Ｒにノート５を取り付け、ノート５を開閉した場合に、左表紙５Ｌと右表紙５Ｒとの位置関係に、左右方向とは異なる向きの捻りが生じても、検出装置２Ｒに対する検出装置２Ｌの向きを回動によって調整することができる。ゆえに、ノート５は、左表紙５Ｌおよび右表紙５Ｒに負荷がかかりにくく、折れたり曲がったりすることを防止できる。
【００４０】
なお、図３に示すように、固定部４３の形成位置は、検出装置２Ｌが検出装置２Ｒに対して離間状態（図３、一点鎖線参照）となった場合において、検出装置２Ｌに右側の縁部が外装カバー４の帯状体４４の左側縁部にかかる位置としている。上記のように、ホルダ６０は、開口部９１に天壁６１Ａ，６１Ｂが当接する範囲内に移動範囲が規制されている。ゆえに、検出装置２Ｌは、離間状態において帯状体４４にかかる位置にあれば、近接状態においても帯状体４４にかかる状態が維持される。帯状体４４は、折曲部４Ｃの内向き面との間にハーネス５０を通すため、左右の縁部と折曲部４Ｃとの間に間隙を有する。検出装置２Ｌが離間状態においても近接状態においても常に帯状体４４にかかる位置にあれば、帯状体４４の縁部に引っかかって離間状態と近接状態との間の移動に抵抗を生ずることを防ぐことができる。
【００４１】
また、固定部４３にホルダ６０を固定することによって、ホルダ６０は、外装カバー４に保持する検出装置２Ｌを鍔部６５，６６で支持する。鍔部６５，６６はそれぞれ側壁６３，６４によって支持され、側壁６３，６４は、天壁６１Ａ，６１Ｂに支えられる。したがって、検出装置２Ｌの重みがホルダ６０に加わると、天壁６１Ａ，６１Ｂは、側壁６３，６４を介して鍔部６５，６６がすぼむ方向に力を受ける。上記のように、ホルダ６０は、側壁６３，６４に対して直交する側壁６２を有するため、側壁６２が側壁６３，６４をそれぞれ支持するリブとして機能することができるので、強度を確保することができる。
【００４２】
図５〜図７に示すように、制御基板７１Ｒと制御基板７１Ｌとを電気的に接続するハーネス５０は、両端にそれぞれ、制御基板７１Ｒに接続する端子部５１Ａと、制御基板７１Ｌに接続する端子部５４Ａとを有する。右側接続部５１は端子部５１Ａを備え、端子部５４Ａを備える左側接続部５４との間を、渡り部５２および返し部５３を介して接続する。前述したように、制御基板７１Ｌはデジタイザ基板７Ｌの後方側の面で下端寄りの位置に設けられており、ハーネス５０の端子部５１Ａは、制御基板７１Ｌのコネクタ部（図示略）に、左方側から差し込んで接続する。右側接続部５１は、端子部５１Ａを含み、端子部５１Ａから左方へ延びた位置で上方側へ向けて折れ曲がり、検出装置２Ｒの背面２６Ｒ（後方側の面）に沿って、検出装置２Ｒの上下方向における中央寄りの位置へ向けて延びる部位である。
【００４３】
渡り部５２は、右側接続部５１の端子部５１Ａとは反対側の端部から左方へ向けて延びる部位であり、検出装置２Ｒと検出装置２Ｌとの間において左右方向に橋渡す部位である。渡り部５２は、検出装置２Ｌ，２Ｒのそれぞれの対向辺２５Ｌ，２５Ｒの上下方向における中央寄りの位置で、検出装置２Ｒと検出装置２Ｌとの間を架橋し、ホルダ６０へ向けて延びる。この構成によって、例えば、外装カバー４の開閉時などに、左側ページ４Ｌと右側ページ４Ｒとが左右方向を軸に前後方向に捻りが加わった場合、捻りによる引っ張り等の影響を受けやすい上下方向の端部ではなく中央寄りに渡り部５２が位置することで、ハーネス５０に負荷をかけにくくすることができる。
【００４４】
返し部５３は、渡り部５２の端部から左方へ延び、前方へ向け段状に曲がり、天壁６１Ａ，６１Ｂと３つの側壁６２，６３，６４に囲まれたホルダ６０内に進入する。返し部５３は、ホルダ６０内で上下方向を軸に前方側へ曲がって１８０度折返し、右方へ向けて延びる。返し部５３は、折返し部位５３Ａが円弧状を描く状態に維持された状態で、前後方向に二段に重なってホルダ６０内に配置される。折返し部位５３Ａは、返し部５３においてハーネス５０の延びる方向が変化する部位を構成し、ホルダ６０が左右方向へ移動することに伴い無限軌道（履帯）ベルトのような変形を生ずる部位である。前述したように、ホルダ６０内は、天壁６１Ａ側における内部空間が天壁６１Ｂ側における内部空間よりも前後方向において大きく形成されている。返し部５３は、折返し部位５３Ａがホルダ６０内で天壁６１Ａ側に位置するように折返し部位５３Ａの位置が設定されており、円弧状の維持において加わる負荷が小さい。
【００４５】
なお、図７、図８に示すように、本実施形態では、渡り部５２に接続し、返し部５３において後方側に位置する部分を、ホルダ６０の天壁６１Ｂに、例えば両面粘着テープ５７により接着している。また、左側接続部５４に接続し、返し部５３において前方側に位置する部分を、デジタイザ基板７Ｌの後方側の面に、例えば両面粘着テープ５８により接着している。両面粘着テープ５７，５８は、それぞれが、無限軌道ベルト状の回動において変形を生ずる折返し部位５３Ａの両端の位置に固定されている。なお、両面粘着テープ５７，５８は、折返し部位５３Ａの両端の近傍にそれぞれ設け、折返し部位５３Ａとの間にクリアランスを有してもよい。
【００４６】
図５〜図７に示すように、ハーネス５０は、返し部５３において検出装置２Ｌの外部側から後カバー９Ｌの開口部９１を通り、内部側に進入する。左側接続部５４は、返し部５３が折返しによってホルダ６０から右方側に露出する位置から、しばらく右方へ延びた先で下方へ向けて折れ曲がり、下方へ延びた先でさらに左方へ折れ曲がって、端子部５４Ａに接続する部位である。左側接続部５４は端子部５４Ａを含む。
【００４７】
このような構成のハーネス５０およびホルダ６０は、検出装置２Ｒに対して検出装置２Ｌを近接および離間する場合に、以下のように動作する。検出装置２Ｒに対して検出装置２Ｌが近接状態（図３、二点鎖線参照）に移行する場合、外装カバー４が開いた状態であれば、検出装置２Ｒは右方向に移動する。図７に示すように、外装カバー４に固定されたホルダ６０は、検出装置２Ｌの本体に対して相対的に、開口部９１内を左方側に移動する。ハーネス５０は端子部５４Ａ（図５参照）を含む左側接続部５４が検出装置２Ｌの本体に対して位置決められている。また、ハーネス５０は、端子部５１Ａを含む右側接続部５１と、右側接続部５１に接続する渡り部５２が、検出装置２Ｒに対して位置決められている。検出装置２Ｌが検出装置２Ｒに対して近接するため、右側接続部５１および渡り部５２が相対的に左方へ移動し、左側接続部５４が相対的に右方へ移動する。ホルダ６０内で二段に重なる返し部５３は、渡り部５２に接続して前後方向の後方側に位置する部分が相対的に左方へ押圧され、左側接続部５４に接続して前方側に位置する部分が相対的に右方へ引っ張られる。返し部５３は、前方側に位置する部分と後方側に位置する部分とが左右方向において生ずるずれに合わせ、無限軌道（履帯）ベルトのように、折返し部位５３Ａにおける円弧状を維持したまま下方から見て時計回りに回動する。これにより、ハーネス５０には、折れ曲がり等の負荷がかからない。折返し部位５３Ａは、ホルダ６０内で内部空間の大きさが前後方向により大きい、天壁６１Ａ側に位置する状態を維持する。折返し部位５３Ａを天壁６１Ｂ側に位置させないことで、折返し部位５３Ａが形成する円弧の内接円の半径を、より大きくできるので、折返し部位５３Ａにかかる折れ曲がり等の負荷を軽減することができる。
【００４８】
一方、検出装置２Ｒに対して検出装置２Ｌが離間状態（図３、一点鎖線参照）に移行する場合、外装カバー４が開いた状態において、検出装置２Ｒは左方向に移動する。図８に示すように、外装カバー４に固定されたホルダ６０は、検出装置２Ｌの本体に対して相対的に、開口部９１内を右方側に移動する。検出装置２Ｌが検出装置２Ｒに対して離間するため、右側接続部５１および渡り部５２が相対的に右方へ移動し、左側接続部５４が相対的に左方へ移動する。ホルダ６０内で二段に重なる返し部５３は、渡り部５２に接続して前後方向の後方側に位置する部分が相対的に右方へ引っ張られ、左側接続部５４に接続して前方側に位置する部分が相対的に左方へ押圧される。返し部５３は、前方側に位置する部分と後方側に位置する部分とが左右方向において生ずるずれに合わせ、無限軌道（履帯）ベルトのように、折返し部位５３Ａにおける円弧状を維持したまま下方から見て反時計回りに回動する。これにより、ハーネス５０には、折れ曲がり等の負荷がかからない。折返し部位５３Ａは、ホルダ６０内で、内部空間の大きさが前後方向により大きい、天壁６１Ａ側に位置する状態を維持する。
【００４９】
このように、ハーネス５０が返し部５３で折り返す構成を有することによって、検出装置２Ｒに対し、検出装置２Ｌを近接または離間させる場合に、無限軌道（履帯）ベルトのように、ハーネス５０が折り返した状態を維持したまま行えば、ハーネス５０が引き伸ばされたり押し縮められたりすることがなく、ハーネス５０にかかる負荷を軽減することができる。
【００５０】
また、ハーネス５０の返し部をホルダ６０で覆うことで、検出装置２Ｒに対し、検出装置２Ｌを近接または離間させる場合に、ハーネス５０の返し部５３に押圧あるいは引っ張りの外力が加わった場合に生じ得るハーネス５０のぶれを規制することができるので、ハーネス５０が折り返した状態を確実に維持することができる。そして、ホルダ６０が突起部９２，９３によって左右方向に移動可能に支持されることによって、ハーネス５０の返し部５３に対する押圧あるいは引っ張りに合わせてホルダ６０が移動することができるので、ハーネス５０の返し部５３が押圧によってホルダ６０内で圧縮されたり、引っ張りによってホルダ６０から外れてしまったりすることがない。
【００５１】
また、返し部５３では、無限軌道ベルト状の回動において変形を生ずる折返し部位５３Ａの両端が、それぞれ、両面粘着テープ５７，５８によって、ホルダ６０およびデジタイザ基板７Ｌ、すなわち検出装置２Ｌの本体部に固定される。これにより、検出装置２Ｒに対する検出装置２Ｌの近接および離間の際にハーネス５０に押圧あるいは引っ張り等の外力が加わっても、両面粘着テープ５７，５８が折返し部位５３Ａの両端を押さえるので、折返し部位５３Ａにおける無限軌道ベルト状の回動に伴う変形にぶれを生じにくい。ゆえに、ハーネス５０の返し部５３における回動を、安定して、スムーズに行うことができる。
【００５２】
このような構成のハーネス５０およびホルダ６０を設けることによって、情報入力装置１は、検出装置２Ｌに対し、検出装置２Ｒを近接または離間することができる。情報入力装置１にノート５をセットする場合、ノート５の左表紙５Ｌを、保持シート４１Ｌの右辺側から挿入し、検出装置２Ｌの位置決め部２１Ｌに配置する。接着部２２Ｌにより、ノート５の左表紙５Ｌを位置決め部２１Ｌに固定する。次に、ノート５の右表紙５Ｒを検出装置２Ｒの位置決め部２１Ｒに配置する。このとき、検出装置２Ｌは、ノート５ごと左右方向に移動させることができ、さらに、検出装置２Ｒに対してホルダ６０の突部６７を軸に回動させることができる。ユーザは、左表紙５Ｌが先に検出装置２Ｌに固定されたことによってノート５を移動させられる位置に制約を生じたものの、上記のように、情報入力装置１が検出装置２Ｒに対する検出装置２Ｌの位置取りの自由さを有することによって、ノート５の右表紙５Ｒを容易に位置決め部２１Ｒに配置することができる。接着部２２Ｒにより、ノート５の右表紙５Ｒを位置決め部２１Ｒに固定して、ノート５のセットが完了する。
【００５３】
以上説明したように、情報入力装置１は、検出装置２Ｌに対し、検出装置２Ｒを近接または離間することができる。この構成により、情報入力装置１の検出装置２Ｌ，２Ｒにノート５の左表紙５Ｌ、右表紙５Ｒをそれぞれセットした場合において、ノート５を開閉しても、検出装置２Ｒに対して検出装置２Ｌが移動し、互いの位置関係を変更することができる。よって、ノート５の左表紙５Ｌや右表紙５Ｒに負荷がかからず、折れたり曲がったりすることを防止できる。
【００５４】
なお本発明は上述の実施形態に限定されず、種々の変更が可能である。検出装置２Ｌ，２Ｒは、公知の電磁誘導方式で電子ペン６の近接する位置を検出したが、抵抗膜方式（いわゆる感圧式）、静電容量方式等、その他の方式を用い、検出対象体の検出装置２Ｌ，２Ｒへの近接または接触を検出してもよい。ノート５のサイズ、フォーマット、材質などは、上記実施形態に限定されない。ノート５を検出装置２Ｌ，２Ｒに取り付ける手法は、上記実施形態に限定されない。
【００５５】
ホルダ６０は後カバー９Ｌに開口部９１を設け、後カバー９Ｌとデジタイザ基板７Ｌとの間にホルダ６０を挟む形態でホルダ６０の前後方向における支持を行ったが、後カバー９Ｌの背面側にホルダ６０の支持部を設け、後カバー９Ｌの背面側と支持部とでホルダ６０を前後方向において支持してもよい。
【００５６】
ハーネス５０の渡り部５２は、検出装置２Ｌ，２Ｒの上下方向において中央寄りの位置に配置したが、中央に配置してもよい。ホルダ６０の２つの突部６７，６８と外装カバー４の左側ページ４Ｌとの係合をハトメ部４３Ａ，４３Ｂで行ったが、ハトメに限らず、ネジ、リベット、ステープル、フック、縫製など、その他の手法により行ってもよい。また、突部６７が係合するハトメ部４３Ａは長穴であってもよい。この場合、突部６８を軸にホルダ６０が回動可能な範囲を大きくすることができるので、ノート５のセットをより容易化することができる。また、突部６７とハトメ部４３Ａとの係合における間隙よりも突部６８とハトメ部４３Ｂとの係合における間隙を大きくし、突部６７とハトメ部４３Ａとの係合において外装カバー４とホルダ６０との固定を行うとともに、突部６７を軸にホルダ６０が回動できるようにしてもよい。
【００５７】
また、ホルダ６０の突部６７，６８と、外装カバー４のハトメ部４３Ａ，４３Ｂは、突部と孔部との関係によって係合するが、例えばホルダ６０が孔部を有し、外装カバー４に突部を設けて互いに係合してもよい。もしくは、ホルダ６０が突部と孔部をそれぞれ１つずつ有し、外装カバー４に孔部と突部とをそれぞれ１つずつ設け、互いに突部と孔部との関係によって係合させてもよい。いずれの場合においても、一方の突部と一方の孔部とが回転軸側となり、他方の突部と他方の孔部との間隙の範囲内で、外装カバー４に対してホルダ６０を有する検出装置２Ｌが回動可能の構成となればよい。
【００５８】
ハーネス５０の返し部５３においてホルダ６０およびデジタイザ基板７Ｌに両面粘着テープ５７，５８でハーネス５０を固定したが、両面粘着テープ５７，５８に限らず、例えば接着剤やクリップ等による固定を行ってもよい。あるいは、ホルダ６０およびデジタイザ基板７Ｌに、ハーネス５０を固定する構造、例えば、壁面との間に小さな間隙を有する棒状体を設け、棒状体と壁面との間にハーネス５０を挟む構造などを設けてもよい。
【００５９】
なお、電子ペン６が、本発明の「筆記具」に相当する。検出装置２Ｒ、検出装置２Ｌが、それぞれ、「第一検出装置」、「第二検出装置」に相当する。外装カバー４が「連結部材」に相当する。右側ページ４Ｒ、左側ページ４Ｌが、それぞれ、「固定端部」、「保持端部」に相当する。対向辺２５Ｒ、対向辺２５Ｌが、それぞれ、「第一辺」、「第二辺」に相当する。制御基板７１Ｒ、制御基板７１Ｌが、それぞれ、「第一回路部」、「第二回路部」に相当する。ハーネス５０が「接続線」に相当する。背面２６Ｒ、背面１６Ｌが、それぞれ、「第一裏面」、「第二裏面」に相当する。右側接続部５１、左側接続部５４が、それぞれ、「第一接続部」、「第二接続部」に相当する。ホルダ６０が「覆い部材」に相当する。突起部９２，９３が「支持部」に相当する。突部６７，６８が「第一係合部」に相当する。ハトメ部４３Ａ，４３Ｂが「第二係合部」に相当する。鍔部６５，６６が「第三係合部」に相当する。帯状体４４が「隠蔽部材」に相当する。
【符号の説明】
【００６０】
１              情報入力装置
２Ｌ，２Ｒ      検出装置
４              外装カバー
４Ｃ            折曲部
４Ｌ            左側ページ
４Ｒ            右側ページ
５              ノート
５Ｌ            左表紙
５Ｒ            右表紙
６              電子ペン
２５Ｌ，２５Ｒ    対向辺
２６Ｌ，２６Ｒ    背面
４３Ａ，４３Ｂ    ハトメ部
４４              帯状体
５０              ハーネス
５１              右側接続部
５１Ａ            端子部
５２              渡り部
５３              返し部
５３Ａ            折返し部位
５４              左側接続部
５７，５８        両面粘着テープ
６０              ホルダ
６１Ａ，６１Ｂ    天壁
６２，６３，６４  側壁
６５，６６        鍔部
６７，６８        突部
７１Ｌ，７１Ｒ    制御基板
９２，９３        突起部
【図１】
2014211772.tif 000003
【図２】
2014211772.tif 000004
【図３】
2014211772.tif 000005
【図４】
2014211772.tif 000006
【図５】
2014211772.tif 000007
【図６】
2014211772.tif 000008
【図７】
2014211772.tif 000009
【図８】
2014211772.tif 000010